(57)【特許請求の範囲】
【請求項１】
地盤表面側から少なくとも定着地盤に達する深さまで掘削されたアンカー孔に注入されたグラウトによって該アンカー孔内に固定されるアンカー支持体であって、
前記アンカー孔内に挿入され且つ定着地盤側に位置させる定着体と、
前記アンカー孔内の少なくとも地盤表面側から上記定着体側に至る範囲に挿入され且つ該定着体に地盤表面側への引張力を作用させることが可能なように連結された引張材と、
前記アンカー孔内に挿入され且つ上記定着体の地盤表面に近い側に端部からさらに該地盤表面に向かって配置形成され且つ該定着体と共に作動するように上記引張材側に連結された作動体とを備え、
前記定着体は地盤表面側に向かって径が次第に縮小する形状に成形された定着部を上記アンカー孔の軸方向に並べて複数有し、
前記作動体は地盤表面側に向かって径が次第に縮小する形状に成形された
アンカー支持体。
【請求項２】
前記作動体は、その外周面が軸方向に垂直な方向から視て該軸方向に対して全体に亘り同一又は略同一の角度で傾斜する形状に成形された
請求項１に記載のアンカー支持体。
【請求項３】
前記作動体における地盤表面に近い側の端部の外周と、該端部と隣接する前記引張材の外周面とに接した状態で筒状に外装されるカバー体を備えた
請求項１又は２の何れかに記載のアンカー支持体。
【請求項４】
前記カバー体は、上記作動体及び引張材の外周に巻付けられる帯状部材によって構成された
請求項３に記載のアンカー支持体。
【請求項５】
前記定着部の地盤表面に近い側の端部と、前記作動体の地盤表面から遠い側の端部とは係脱可能にネジ係合されて連結固定される
請求項１乃至４の何れかに記載のアンカー支持体。
【請求項６】
前記定着体は、上記定着部が形成された定着ユニットを複数有し、
該定着ユニット同士は係脱可能にネジ係合されて連結固定される
請求項１乃至５の何れかに記載のアンカー支持体。
【請求項７】
地盤表面側から少なくとも定着地盤に達する深さまで掘削されたアンカー孔に挿入されるアンカー支持体を、グラウトによって、該アンカー孔内に固定するグラウンドアンカー工法であって、
地盤にアンカー孔を掘削する掘削工程と、
該アンカー孔にアンカー支持体を挿入する挿入工程と、
該アンカー支持体が挿入された状態のアンカー孔にグラウトを注入する注入工程と、
該注入されたグラウトが硬化した状態でアンカー支持体を引抜き作動させる引抜工程とを有し、
前記アンカー支持体は、前記アンカー孔内に挿入され且つ定着地盤側に位置させる定着体と、前記アンカー孔内の少なくとも地盤表面側から上記定着体側に至る範囲に挿入され且つ該定着体に地盤表面側への引張力を作用させることが可能なように連結された引張材と、前記アンカー孔内に挿入され且つ上記定着体の地盤表面に近い側に端部からさらに該地盤表面に向かって配置形成され且つ該定着体と共に作動するように上記引張材側に連結された作動体とを備え、前記定着体は地盤表面側に向かって径が次第に縮小する形状に成形された定着部を上記アンカー孔の軸方向に並べて複数有し、前記作動体は地盤表面側に向かって径が次第に縮小する形状に成形された
グラウンドアンカー工法。
【請求項８】
前記アンカー支持体は、上記引張材の地盤表面側の端部に固定される地表側固定具と、該地表側固定具に装着される取付具とを備え、
前記アンカー孔にアンカー支持体を挿入させた状態での地表側固定具の位置に応じて、該地表側固定具と取付具との間に延長部材を介在させるか否かを選択することにより、該取付具の位置を調整する
請求項７に記載のグラウンドアンカー工法。
【発明の詳細な説明】
【技術分野】
【０００１】
この発明は、アンカー支持体及びグラウンドアンカー工法に関する。
【背景技術】
【０００２】
地盤表面側から少なくとも定着地盤に達する深さまで掘削されたアンカー孔に注入されたグラウトと、該グラウトによってアンカー孔内に固定されるアンカー支持体とを備えたグラウンドアンカーが従来公知である。このグラウンドアンカーは、地盤の表面から定着地盤に至るまでの範囲に存在する軟弱地盤等の非定着地盤を圧縮して地盤補強する目的や、地盤表面側の構造体等を定着地盤に対して固定させる目的で用いられる。
【０００３】
このようなグラウンドアンカーに用いられるアンカー支持体としては、例えば、前記アンカー孔内に挿入され且つ定着地盤側に位置させる定着体と、前記アンカー孔内の少なくとも地盤表面側から上記定着体側に至る範囲に挿入され且つ該定着体に地盤表面側への引張力を作用させることが可能なように連結された引張材と、前記アンカー孔内に挿入され且つ上記定着体の地盤表面に近い側に端部からさらに該地盤表面に向かって配置形成され且つ該定着体と共に作動するように上記引張材側に連結された作動体とを備え、前記定着体は地盤表面側に向かって径が次第に縮小する形状に成形された定着部を上記アンカー孔の軸方向に並べて複数有するものが公知になっている（例えば、特許文献１を参照）。
【０００４】
図６に示すアンカー支持体１００は、上記文献のものと略同一に構成されている。具体的には、ＰＣ鋼等からなる引張材１０１の外周が引張材側パイプ１０２で覆われ、引張材側パイプ１０２よりも地番表面から遠い側に位置する定着体１０３の連結孔１０３ａには引張材１０１が挿通され、上記引張材側パイプ１０２の定着体１０３側端部は該引張材１０１の外周を覆う連結パイプ（作動体）１０４によって連結固定され、この連結パイプ１０４には軸方向に摺動可能にグラウト固定側パイプ１０６が外装されている。
【０００５】
そして、地盤Ｇに掘削されたアンカー孔Ｈには、上記アンカー支持体１００が挿入された状態で、グラウト１１０を注入して硬化させ、さらに、引張材１０１の外周面と引張材側パイプ１０２の内周面との間に形成された隙間には図示しないグリス等の滑材を注入するとともに、該引張材１０１の外周と連結パイプ１０４及び定着体１０３の内周面との間に形成された隙間には図示しない高強度のグラウトを注入して硬化させることにより、アンカー支持体１００がアンカー孔Ｈ内に固定されるとともに、引張材１０１における引張材側パイプ１０２と内外周で対向部分が、グラウト１１０に拘束されることなく、軸方向に作動可能な状態になる。
【０００６】
この状態で、引張材１０１に引抜き方向（同６（Ａ）の矢印方向）の力を作用させ、定着体１０３及び連結パイプ１０４をグラウト固定側パイプ１０６に対して上記引抜き方向に摺動作動させる。
【０００７】
この作動によって定着体１０３の複数の定着部１０７のそれぞれの外周面からグラウト１１０に垂直抗力（楔力）が作用し（図６（Ｂ）に示す矢印参照）、この楔力によってグラウト１１０がアンカー孔Ｈの内周面に押圧するように変形するため、アンカー支持体１００の引抜き抵抗が高くなり、グラウンドアンカーの強度が向上する。
【先行技術文献】
【特許文献】
【０００８】
【特許文献１】特許第４０２０３１６号公報
【発明の概要】
【発明が解決しようとする課題】
【０００９】
図６に示すアンカー支持体１００は、楔力の発生を目的とした定着体１０３の引張り方向への作動を可能にさせるため、連結パイプ１０４及びグラウト固定側パイプ１０６による二重構造を採用しており、この二重構造がアンカー支持体１００全体の部材径の拡大を招く１つの大きな要因になる。そして、この径の拡大に伴い、アンカー孔Ｈも大径のものを掘削する必要性が高まる。
【００１０】
このような大径のアンカー孔Ｈの掘削には大型機械が必要になるが、足場の悪い法面等の施行現場では、大型機械の使用が困難であり、アンカー孔Ｈの小径化の要望が高いため、上記構成のアンカー支持体１００の使用が困難になるケースが存在する。
【００１１】
本発明は、アンカー支持体及びグラウンドアンカー工法であって、定着地盤への定着強度も高く、グラウト孔の小径化にも対応することが容易なアンカー支持体及びグラウンドアンカー工法を提供することを課題とする。
【課題を解決するための手段】
【００１２】
上記課題を解決するため、本発明のアンカー支持体は、地盤表面側から少なくとも定着地盤に達する深さまで掘削されたアンカー孔に注入されたグラウトによって該アンカー孔内に固定されるアンカー支持体であって、前記アンカー孔内に挿入され且つ定着地盤側に位置させる定着体と、前記アンカー孔内の少なくとも地盤表面側から上記定着体側に至る範囲に挿入され且つ該定着体に地盤表面側への引張力を作用させることが可能なように連結された引張材と、前記アンカー孔内に挿入され且つ上記定着体の地盤表面に近い側に端部からさらに該地盤表面に向かって配置形成され且つ該定着体と共に作動するように上記引張材側に連結された作動体とを備え、前記定着体は地盤表面側に向かって径が次第に縮小する形状に成形された定着部を上記アンカー孔の軸方向に並べて複数有し、前記作動体は地盤表面側に向かって径が次第に縮小する形状に成形されたことを特徴とする。
【００１３】
前記作動体は、その外周面が軸方向に垂直な方向から視て該軸方向に対して全体に亘り同一又は略同一の角度で傾斜する形状に成形されたものとしてもよい。
【００１４】
前記作動体における地盤表面に近い側の端部の外周と、該端部と隣接する前記引張材の外周面とに接した状態で筒状に外装されるカバー体を備えたものとしてもよい。
【００１５】
前記カバー体は、上記作動体及び引張材の外周に巻付けられる帯状部材によって構成されたものとしてもよい。
【００１６】
前記定着部の地盤表面に近い側の端部と、前記作動体の地盤表面から遠い側の端部とは係脱可能にネジ係合されて連結固定されるものとしてもよい。
【００１７】
前記定着体は、上記定着部が形成された定着ユニットを複数有し、該定着ユニット同士は係脱可能にネジ係合されて連結固定されるものとしてもよい。
【００１８】
また、本発明のグラウンドアンカー工法は、地盤表面側から少なくとも定着地盤に達する深さまで掘削されたアンカー孔に挿入されるアンカー支持体を、グラウトによって、該アンカー孔内に固定するグラウンドアンカー工法であって、地盤にアンカー孔を掘削する掘削工程と、該アンカー孔にアンカー支持体を挿入する挿入工程と、該アンカー支持体が挿入された状態のアンカー孔にグラウトを注入する注入工程と、該注入されたグラウトが硬化した状態でアンカー支持体を引抜き作動させる引抜工程とを有し、前記アンカー支持体は、前記アンカー孔内に挿入され且つ定着地盤側に位置させる定着体と、前記アンカー孔内の少なくとも地盤表面側から上記定着体側に至る範囲に挿入され且つ該定着体に地盤表面側への引張力を作用させることが可能なように連結された引張材と、前記アンカー孔内に挿入され且つ上記定着体の地盤表面に近い側に端部からさらに該地盤表面に向かって配置形成され且つ該定着体と共に作動するように上記引張材側に連結された作動体とを備え、前記定着体は地盤表面側に向かって径が次第に縮小する形状に成形された定着部を上記アンカー孔の軸方向に並べて複数有し、前記作動体は地盤表面側に向かって径が次第に縮小する形状に成形されたことを特徴とする。
【００１９】
前記アンカー支持体は、上記引張材の地盤表面側の端部に固定される地表側固定具と、該地表側固定具に装着される取付具とを備え、前記アンカー孔にアンカー支持体を挿入させた状態での地表側固定具の位置に応じて、該地表側固定具と取付具との間に延長部材を介在させるか否かを選択することにより、該取付具の位置を調整するものとしてもよい。
【発明の効果】
【００２０】
前記作動体が地盤表面側に向かって径が次第に縮小する形状に成形され、この形状によって作動体自体の外周面からもグラウトに対して垂直効力を作用させることが可能になるため、定着強度が向上するとともに、この作動体はその形状自体によってグラウト中での引張方向への作動が容易化するため、二重構造を採用する必要もなくなり、アンカー孔の小径化にも寄与する。
【図面の簡単な説明】
【００２１】
【図１】本発明を適用したグラウンドアンカーの構造を示す断面図である。
【図２】地表側固定具及び取付具の構成を示す断面図である。
【図３】作動体、定着体及び定着地盤側固定具の構成を示す部分断面図である。
【図４】（Ａ），（Ｂ）はそれぞれアンカー支持体の引抜き作動の前後の状態を示す要部断面図である。
【図５】アンカー支持体の変形例の構成を示す地表側の部分断面図である。
【図６】（Ａ），（Ｂ）は従来公知のアンカー支持体の引抜き作動の前後の状態を示す要部断面図である。
【発明を実施するための形態】
【００２２】
図１は本発明を適用したグラウンドアンカーの構造を示す断面図である。
【００２３】
グラウンドアンカーは地盤Ｇの地表（地盤Ｇ表面）から地中側に向って掘削された上下方向（鉛直方向）又は上下斜め方向（図示する例では上下方向）のアンカー孔Ｈに挿入されるアンカー支持体１と、該アンカー孔Ｈに注入されて該アンカー支持体１をアンカー孔Ｈ内に固定するグラウト２とによって構成されている。
【００２４】
アンカー孔Ｈは、掘削機や削岩機によって掘削され、地表側の軟弱地盤（非定着地盤）Ｇ１から地中の強固な定着地盤Ｇ２に至る範囲に形成されている。図示する例では、このアンカー孔Ｈは鉛直方向に一直線状に形成された有底の円柱状穴である。ここで、各種部材において、アンカー孔Ｈへの挿入方向側端を「先端」、アンカー孔Ｈからの引抜き方向側端を「基端」として定義する。
【００２５】
グラウト２は、セメントミルク等の流体であり、硬化することにより、アンカー支持体１におけるアンカー孔Ｈへの挿入部分を地盤Ｇ（該アンカー孔Ｈ内）に固定するモルタルやコンクリートになる。
【００２６】
アンカー支持体１は、一直線状に延びてアンカー孔Ｈに挿入される金属製又は樹脂製のテンドン（引張材，ＰＣ鋼）１０と、テンドン１０の基端（上端）側に固定された金属製（具体的には鉄製）又は樹脂製の地表側固定具２０と、テンドン１０の先端（下端）側に固定された金属製（具体的には鉄製）又は樹脂製の定着地盤側固定具３０と、テンドン１０に同一軸心をなすように挿通され且つ前記定着地盤側固定具３０の基端から地表側に向かう側に延出されて定着地盤Ｇ２側に位置する金属製（具体的には鉄製）又は樹脂製の定着体４０と、該定着体４０の基端部から地表に向って配置形成された金属製（具体的には鉄製）又は樹脂製の作動体５０と、該作動体５０の基端部と、該基端部と接するテンドン１０外周の境界部分とに筒状に外装されたカバー体（スペース形成手段）６０と、地表側固定具２０の基端側に係脱自在に固定された金属製（具体的には鉄製）又は樹脂製の取付具７０を備えている。
【００２７】
上記テンドン１０は、円状の断面を有し、アンカー孔Ｈにおける地表側部分から最深部側に至る範囲に挿入可能な長さに設計されている。このテンドン１０は、アンカー孔Ｈと同一軸心又は略同一軸心になるように該アンカー孔Ｈに挿入される。テンドン１０の外周面には、グラウト２の付着を防止する図示しない付着防止層（付着防止手段）が形成されている。
【００２８】
ちなみに、この付着防止層はテンドン１０の全周を覆う樹脂製被膜であり、本例ではエポキシ樹脂及びポリエチレンによる被膜であり、この付着防止層はテンドン１０の少なくともグラウト２と接する範囲に被膜コーティングされている。
【００２９】
図２は地表側固定具及び取付具の構成を示す断面図である。
【００３０】
上記地表側固定具２０は、その先端部に前記テンドン１０の基端部を連結固定させる。この状態で、地表側固定具２０は、テンドン１０と同一軸心をなすように、円柱状に成形されている。この地表側固定具２０の基端部は、その他部分と比べて縮径されたネジ部２１が形成されている。ちなみに、テンドン１０は圧着グリップや溶着等によって地表側固定具２０に強固に連結固定される。
【００３１】
上記取付具７０は、地表側固定具２０より基端側に配置され該地表側固定具２０と同一又は略同一の径を有する円柱状に成形され、その先端面には、上記ネジ部２１がネジ係合させて嵌合挿入されるネジ穴７１が軸方向に穿設されている。すなわち、取付具７０は、地表側固定具２０に係脱自在にネジ係合されて連結固定され、固定具７０から地表側に突出している。
【００３２】
ちなみに、図示する取付具７０は、地表側に敷設されるネット等を支持するワイヤＷが挿入状態で取付けられる。このため取付具７０にはワイヤＷを挿通させる取付孔７２が自身の軸方向と直交する方向に穿設されている。なお、この取付具７０には、上記ワイヤＷの他、上記地盤Ｇの地表からの圧力を受ける受圧板等の構造物を取付固定してもよい。
【００３３】
図３は作動体、定着体及び定着地盤側固定具の構成を示す部分断面図である。
【００３４】
上記定着体４０はテンドン１０に同一軸心となるように挿通された状態で連結される。この定着体４０は自身の軸方向（アンカー孔Ｈの軸方向）に（図する例では４個）並べられた複数の定着部４１を有している。
【００３５】
この複数の定着部４１は、先端から基端側に向かって（地中から地表側に向かって）径が次第に小さくなる形状（具体的には円錐台状）に成形されている。この各定着部４１はテンドン１０と同一軸心となる。
【００３６】
そして、この軸心方向で隣接する定着部４１，４１同士において、基端寄りに位置する定着部４１の先端の径（最大径）は、先端寄りに位置する定着部４１の基端の径（最小径）よりも大きくなるため、互いに接続部分には段差が形成される。ちなみに、図示する例では、複数の定着部４１は、全て同一形状に成形されている。
【００３７】
この複数の定着部４１を有する定着体４０は、一又は複数（図する例では２個）の定着ユニット４２によって構成されている。上述した複数の定着部４１は対応する定着ユニット４２にそれぞれ分割配置されている。言換えると、各定着ユニット４２は一又は複数（図示する例は２個）の定着部４１を有し、全体が一体成形されている。
【００３８】
定着ユニット４２の軸心上には断面視円形の連結孔４３が穿設されている。この連結孔４３は、定着ユニット４２の軸方向全体に亘り形成され且つ両側が開放されている。連結孔４３の径はテンドン１０を嵌合状態で挿通させることが可能なサイズに設計されている。また、この連結孔４３の先端部は径が拡大され、その拡大された内周面側部分はネジが形成されたネジ穴４４を構成している。
【００３９】
一方、定着ユニット４２の基端部の外周面は、上記ネジ穴４４にネジ係合状態で嵌合挿入させることが可能なネジ部４６が形成されている。一の定着ユニット４２の上記ネジ部４６を他の定着ユニット４２の上記ネジ穴４４にネジ係合させて嵌合挿入することにより、この２つの定着ユニット４２，４２同士が係脱可能にネジ係合された状態で互いに連結固定される。
【００４０】
定着地盤側固定具３０は、定着部４１の先端側の最大径と同一又は略同一の径を有する円柱状に成形されている。この定着地盤側固定具３０は、前記テンドン１０と同一軸心をなし、この定着地盤側固定具３０の基端部には上記テンドン１０の先端部が連結固定される。ちなみに、テンドン１０の先端部は圧着グリップや溶着等によって定着地盤側固定具３０に強固に固定される。
【００４１】
また、この定着地盤側固定具３０の基端部は、その他部分と比べて縮径されたネジ部３１が形成されている。このネジ部３１を上記ネジ穴４４に係脱可能にネジ係合させるように嵌合状態で挿入させることにより、定着地盤側固定具３０の基端部が、最先端側に位置する定着ユニット３０の先端部に連結固定される。
【００４２】
上記作動体５０は、その径が地表側に向かって次第に減少する円錐台状に成形され、テンドン１０と同一軸心状をなしている。具体的には、作動体５０の軸方向に対して垂直な方向から該作動体５０の外周面を視た場合、該外周面は該軸方向に対して同一勾配で傾斜する形状をなすように、この作業体５０の外周面にはテーパー加工が施されている。また、この作動体５０には、テンドン１０を嵌合状態で挿通させる連結孔５１が穿設されている。この連結孔５１は、作動体５０の軸心上に形成され、その両側が開放されている。
【００４３】
連結孔５１の先端部は、径が拡大されてネジ穴５２を構成している。このネジ穴５２には、最基端側に位置する定着ユニット４２のネジ部４６が係脱自在にネジ係合状態で嵌合挿入される。そして、このネジ係合によって作動体５０と定着ユニット４２とが着脱自在に連結固定される。
【００４４】
ちなみに、作動体５０の先端部の外周径（最大径）は、定着体４０の基端部の外周径（最小径）よりも大きく設計され、両者の接続部分には段差が形成されている。また、作動体５０の基端部の外周径（最小径）は、テンドン１０の外周径よりも若干大きい程度のサイズに設計されている。
【００４５】
続いて、地番側固定具３０、定着体４０及び作動体５０の組立順序について説明すると、作動体５０、２つの定着ユニット４２，４２を、軸方向に隣接するもの同士で互いにネジ係合させて連結固定し、それぞれの連結孔５１，４３，４３によって単一のテンドン挿通孔を形成させる。
【００４６】
そして、前記テンドン１０を、自身の先端部に地盤側固定具３０を固定されていない状態で、前記単一のテンドン挿通孔（定着体４０及び作動体５０）に挿通させることにより、テンドン１０の先端部を定着体４０からさらに先端側に突出させる。
【００４７】
テンドン１０の定着体４０から先端方向に突出した上記部分に定着地盤側固定具３０の基端部を上述の状態で固定し、その後、この定着地盤側固定具３０のネジ部３１を上記最先端側の定着ユニット４２のネジ穴４４にネジ係合させて挿入固定することにより、前記定着体４０及び作動体５０が定着地盤側固定具３０と共にテンドン１０に連結固定される。
【００４８】
この定着地盤側固定具３０による上記連結固定によって、テンドン１０の引抜き方向への引張作動に伴い、定着体４０及び作動体５０も一体的に引抜き方向に引張作動される。ちなみに、定着地盤側固定具３０、定着体４０及び作動体５０の外周には、テンドン１０の外周のような付着防止層は形成されていないが、グラウト２の付着を抑制するため、その表面が滑らかに形成されている。なお、上記例では、テンドン１０の挿通よりも先に、作動体５０及び２つの定着ユニット４２，４２の連結固定を行ったが、テンドン１０への挿通後に作動体５０及び２つの定着ユニット４２，４２の連結固定を行ってもよい。
【００４９】
上記カバー体６０は、図１に示す通り、作動体５０の基端部（地盤Ｇ表面に近い側の端部）の外周と、作動体５０の該基端部と軸方向で隣接するテンドン１０の外周とに筒状に外装されている。言換えると、このカバー体６０は、作動体５０及びテンドン１０の互いに隣接する境界側外周面５０ａ，１０ａ（図４参照）を覆う筒状部材であり、この筒状のカバー体６０は、互いの境界側外周面５０ａ，１０ａの間に形成された段差以上の厚み（肉厚）を有している。該段差は作動体５０の基端の内周面と外周面との間の肉厚以上のサイズになるため、強度が確保される範囲で、作動体５０の肉厚は薄く設計することが望ましい。
【００５０】
このカバー体６０は、作動体５０及びテンドン１０の境界側外周面５０ａ，１０ａに樹脂製のテープ等のフレキシブルに変形可能な樹脂製の帯状部材を巻付けることにより、筒状に成形されている。すなわち、作動体５０のテンドン１０への連結固定後に上記カバー体６０が組付けられる。
【００５１】
ところで、後述する楔力を定着体４０の外周面からグラウト２に作用させるためには、該定着体４０の外周面に付着したグラウト２が該外周面から剥離し、引抜き方向に作動する必要がある。前記作動体５０は、定着体４０の該作動をサポートするように、上記テーパー加工が施されている。そして、テンドン１０を介した引抜き方向への力が作用することによって、作動体５０が自ずと引抜き作動され、これに伴い定着体４０も引抜き作動される。
【００５２】
ちなみに、グラウト２の定着体４０外周面への付着強度（定着体側付着強度）と、グラウト２のアンカー孔Ｈ内周面への付着強度（アンカー孔側付着強度）とを比較すると、その付着面積が後者の方が広く且つアンカー体４０の外周面がアンカー孔Ｈの内周面に比べて滑らかであることから、定着体側付着強度の方がアンカー孔側付着強度よりも低い。また、グラウト２は材料自体に性質によって引張抵抗が弱いため、上記引抜き作動によって、グラウト２は定着体４０の外周面から容易に剥離するとともに破断し、該定着体４０による引抜き方向への作動（楔作動）が容易に行われる。
【００５３】
ただし、作動体５０とテンドン１０との外周面側の境界部分の上記段差が大きい場合には、作動体５０の引抜き方向への作動（楔作動）の妨げになるケースもあることから、該段差部分に上記カバー体６０を設け、これを被膜することによってこの問題を解決させている。すなわち、この段差と同一又はそれ以上の厚みを有して、変形容易なカバー体６０によって、作動体５０の楔作動を補助させる。
【００５４】
なお、以上のような理由でカバー体６０を設けているため、上記段差が無視できる程度に小さい場合には、カバー体６０を設ける必要はない。
【００５５】
ちなみに、図示する例では、このカバー体６０の内周面と、カバー体６０の該内周面と径方向で対向するテンドン１０の境界側外周面１０ａとの間には、作動スペースＳ（図４参照）が形成される。この作動スペースＳは、アンカー孔Ｈへのグラウト２の注入時に該グラウト２が注入されない（介在しない）空洞部になるとともに、作動体５０の基端面と地表寄り側から接する空間であり、この作動スペースＳは、グラウト２中での作動体５０の地表側への移動を、さらに補助するように機能する。
【００５６】
次に、図１及び図４に基づき、上記アンカー支持体１を用いたグラウンドアンカー工法について説明する。
【００５７】
上記グラウンドアンカー工法は、地盤Ｇにアンカー孔Ｈを掘削する掘削工程と、該アンカー孔Ｈにアンカー支持体１を挿入する挿入工程と、該挿入されたアンカー支持体１の外周とアンカー孔Ｈの内周との間にグラウト２を注入する注入工程と、該注入したグラウト２が硬化した状態でアンカー支持体１を引抜き作動させる引抜工程とを有している。
【００５８】
図４（Ａ），（Ｂ）はそれぞれアンカー支持体の引抜き作動の前後の状態を示す要部断面図である。
【００５９】
上記引抜工程では、テンドン１０及び定着地盤側固定具３０により、作動体５０及び定着体４０に対し、地表側（引抜き方向）への引張力を作用させる。上記作動スペースＳ（変形可能なカバー体６０）の存在により、この引張力は作動体５０を定着体４０及び定着地盤側固定具３０と共に引抜き方向に移動作動させるように機能し、該作動体５０の基端部を上記作動スペースＳ内に挿入（貫入）する状態になる。
【００６０】
すなわち、グラウト２に固着されたカバー体６０の内周に対して、作動体５０の外周が軸方向引抜き側に摺動するか、或はカバー体６０自体が変形することにより、上記作動体５０の引抜き方向への作動が許容される。
【００６１】
そして、定着体４０の各定着部４１及び作動体５０は引抜き方向に向かって次第に径が縮小する円錐台状に成形されているため、上記引抜き方向に移動作動に伴って各定着部４１の外周面及び作動体５０の外周面からはグラウトＧに対して垂直抗力（楔力）が作用し（図４（Ｂ）の矢印参照）、この楔力によってグラウト２がアンカー孔Ｈの内周面に押圧変形され、定着地盤Ｇ２側への定着強度が向上する。ちなみに、上記グラウト２のアンカー孔Ｈの径方向外側への押圧変形は定着地盤Ｇ２の上記径方向外側への変形も生じさせる場合もあるが、この変形もグラウンドアンカーの定着強度の向上に寄与する。
【００６２】
ちなみに、上記楔力は、アンカー支持体１の作動後の位置（図４（Ｂ）に実線で示す位置）と、作動前の位置（同図（Ｂ）に仮想線で示す位置）とから算出される変位量ｄと、作動体５０及び定着部４１の外周面の自身の軸心に対する傾斜角度θ（図４（Ａ）参照）等とに依存している。変形量ｄは作動スペースＳの形成範囲によって適宜調整可能であるとともに、傾斜角度θは概ね３〜５°程度が望ましい。
【００６３】
なお、作動スペースＳは、テンドン１０の周方向全体に亘り満遍なく形成される必要はなく、作動体５０の引張り方向への作動が確保される範囲で、周方向に部分に形成されていてもよい。さらには、作動体５０の基端の内周と外周との肉厚を極力薄くすることにより、該作動体５０自体に硬化したグラウト２中での掻分け力が付与できれば、カバー体６０を省略することも可能である。
【００６４】
このようにして施工されたグラウンドアンカーの取付具７０にワイヤＷや受圧板等の構造体を取付け、該構造体や前記ワイヤＷに連結されたネット等を定着地盤Ｇ２側に定着させる。
【００６５】
なお、アンカー支持体１のグラウト２による固定の後に、地表側固定具２０に取付具７０を装着してもよい。また、地表側固定具２０の一部又は全部がアンカー孔Ｈ内に位置して長さが不足する場合には、図５に示す通り、該地表側固定具２０と取付具７０との間に、テンドン１０と同一軸心をなす円柱状に形成された延長部材８０を介在させる。
【００６６】
延長部材８０は、地表側固定具２０及び取付具７０と同一軸心となり且つこれらと同一の径を有している。この延長部材８０の基端部には、上記取付具７０のネジ穴７１にネジ係合させて嵌合挿入させるネジ部８１が形成されるとともに、その先端面には、上記地表側固定具２０のネジ部２１がネジ係合された状態で嵌合挿入されるネジ穴８２が穿設されている。
【００６７】
この基端側及び先端側のネジ係合によって、地表側固定具２０と取付具７０と間に介在された延長部材８０が両者を連結固定させ、アンカー支持体１の長さを変更させ、地表側固定具２０の一部又は全部（図示する例では全部）を地表側に位置させることが可能になる。このため、このアンカー支持体１は様々な深さのアンカーＨに適用可能になり、汎用性が高まる。
【００６８】
以上のように構成されるグラウンドアンカー（アンカー支持体）及びその工法によれば、テンドン１０の部分も二重構造を採用する必要がなく、定着体４０の内周とテンドン１０の外周との間にもグラウト充填用のスペースを設ける必要がなく、さらに、カバー体６０の作動体５０の最小径となる基端側に装着されるため、アンカー支持体１の径を軸方向全体に亘り小さく設計することが可能になり、これに伴いアンカー孔Ｈの径も小さくすることが可能になる。
【符号の説明】
【００６９】
１  アンカー支持体
２  グラウト（セメントミルク）
１０  テンドン（引張材，ＰＣ鋼）
１０ａ  境界側外周面
２０  地表側固定具（固定具）
２１  ネジ部（係合部）
３０  定着地盤側固定具（固定具）
３１  ネジ部（係合部）
４０  定着体
４１  定着部
４２  定着ユニット
４３  連結孔（挿通孔）
４４  ネジ穴（係合部）
４６  ネジ部（係合部）
５０  作動体
５０ａ  境界側外周面
５１  連結孔（挿通孔）
５２  ネジ穴（係合部）
６０  カバー体
７０  取付具
７１  ネジ穴（係合部）
７２  取付孔（取付部）
８０  延長部材
８１  ネジ部（係合部）
８２  ネジ穴（係合部）
ｄ  変位量
Ｇ  地盤
Ｇ１  非定着地盤（軟弱地盤）
Ｇ２  定着地盤
Ｈ  アンカー孔
Ｓ  作動スペース
Ｗ  ワイヤ
θ  傾斜角度
【図１】
0006387038.tif 000002
【図２】
0006387038.tif 000003
【図３】
0006387038.tif 000004
【図４】
0006387038.tif 000005
【図５】
0006387038.tif 000006
【図６】
0006387038.tif 000007